(57)【要約】      （修正有）【課題】転倒の危険が低く，乳幼児が部材を口に入れたりすることがない等，乳幼児の安全に配慮するとともに，異なる図柄のジョイントマットの製造を簡易かつ安価で行うことのできるジョイントマットを提供する。【解決手段】ジョイントマット１は，マット本体２の少なくとも一辺に他のマットと連結するためのジョイント部３を有する合成樹脂発泡体からなるマットであって，マット本体２の表面にレーザーマーキングにより図柄４を表示する。また，他のマットと係合することにより，係合された複数のマット上に一体の図柄を表示する。【選択図】図１
0003209420.tif 000002
【実用新案登録請求の範囲】
【請求項１】
マット本体の少なくとも一辺に他のマットと連結するためのジョイント部を有する合成樹脂発泡体からなるマットであって，マット本体の表面にレーザーマーキングにより図柄を表示することを特徴とするジョイントマット。
【請求項２】
前記マットのジョイント部を係合し複数のマット本体を連結することにより，係合された複数のマット上に一体となった図柄を表示することを特徴とする，前記１記載のジョイントマット。
【考案の詳細な説明】
【技術分野】
【０００１】  本考案は，主として乳幼児の遊戯スペースの床などに敷設するジョイントマットに関し，特に，マット表面における図柄の表示に関する。
【背景技術】
【０００２】  ジョイントマットは，乳幼児の遊びに伴ってフローリングに傷がつくことを防止し，防音効果を高め，乳幼児が遊ぶ際に感じる床の冷たさを低減するものであり，専ら，主として乳幼児が遊ぶスペースに用いられるものである。
また，ジョイントマットは，その上で転倒しても，転倒時の衝撃を和らげて怪我を防止したり軽減したりするものである。【０００３】  ジョイントマットにおいては，乳幼児の感興を惹くとともに，遊びを通じて乳幼児の知能や情操を向上させるための工夫が施されている。【０００４】  例えば，ジョイントマットの表面にフィルム等を貼付することでジョイントマットに図柄を描くもの，ジョイントマットの一部をくり抜くもの，ジョイントマットに溝を形成することで図柄を描き，乳幼児の感興を惹くものもあった。【０００５】  しかしながら，ジョイントマットの表面にフィルム等を貼付するものについては，フィルム上は滑りやすく乳幼児が転倒する危険があり，使用期間の経過に伴い，フィルム等がジョイントマット本体から剥離することで，乳幼児が剥離したフィルム等を口内に入れるなどの危険があった。また，ジョイントマットの一部がくり抜かれたものについては，乳幼児がくり抜かれたジョイントマットを口に入れたり，くり抜かれて空洞になった部分に指を入れることで指を床とジョイントマットとの間に挟めたりする危険があった（非特許文献１参照）。また，ジョイントマットそのものに図柄を描く方法も考えられるが，例えば，シルクスクリーン印刷やホットスタンプ等によって図柄を表示した場合，ジョイントマットの使用や経時劣化によって印刷が剥離するなど，製品としての劣化を生じやすい。加えて，ジョイントマットに溝を形成することにより図柄を表示するものについては，乳幼児の転倒などの危険性がなく比較的高い生産性を実現しうるものの，ジョイントマットの図柄に対応する金型を製造する必要があり，異なる図柄のジョイントマットを製造しようとした場合に，新たな金型を製造する必要があった（特許文献１参照）。
【先行技術文献】
【０００６】
【特許文献１】実用新案第３２０６７９０号公報
【非特許文献１】株式会社ＭＡＭＥＮＣＨＩ，“つなげてジョイントマット  英語＆数字”，〔ｏｎｌｉｎｅ〕，平成２８年２月２２日，株式会社ＮＥＳＴＥＡ〔平成２８年７月１５日検索〕，インターネット〈ＵＲＬ：ｈｔｔｐ：／／ｗｗｗ．ｎｅｔｓｅａ．ｊｐ／ｓｈｏｐ／４１９２４７／４５８０４９２９９１７９７〉
【考案の概要】
【考案が解決しようとする課題】
【０００７】  本考案は，上記の問題に鑑みてなされたもので，乳幼児の使用に伴う転倒等の危険を低減し，ジョイントマットの部材を口に入れたり床とジョイントマットとの間に指を入れたりするなどの危険がなく，印刷物の剥離等による製品の劣化を可及的に防止するとともに，異なる図柄のジョイントマットを製造する場合にも新たな金型の製造が不要であり，高い生産性を有し，乳幼児の感興を惹き，遊びを通じて知能や情操を向上させることのできるジョイントマットの提供を目的とする。
【課題を解決するための手段】
【０００８】  上記課題を解決するため，本考案の請求項１記載のジョイントマットは，マット本体の少なくとも一辺に他のマットと連結するためのジョイント部を有する合成樹脂発泡体からなるマットであって，マット本体の表面にレーザーマーキングにより図柄を表示することを特徴とする。【０００９】  本考案の請求項２記載のジョイントマットは，ジョイント部を係合し複数のマット本体を連結することで，係合されたマット上に一体となった図柄を表示することを特徴とする。これにより，上記課題を解決しつつ，マット本体の大きさに制限されることなく，乳幼児の感興を惹く任意の大きさの図柄を表示することができる。
【考案の効果】
【００１０】  本考案において，図柄がマット本体表面にレーザーマーキングによって表示されていることから，乳幼児は，ジョイントマット上で転倒する危険を低減し，ジョイントマットの部材や貼付されたフィルム等を口に含んだりすることなく，マット本体に表示された図柄を見たり，図柄を形成する溝部を手で触れたりすることで，知覚能力を養うとともに情操を向上させることができる。【００１１】  また，本考案においては，合成樹脂発泡体本体にレーザーマーキングにより図柄を表示していることから，シルクスクリーン印刷やホットスタンプを用いる場合などと比較して，印刷物の剥離による製品の劣化を防止することができるとともに，ジョイントマット製造にあたり，溝を形成して図柄を表示する場合と比較して，図柄に対応した金型を用意する必要がなく，図柄の異なるジョイントマットの製造を簡易かつ安価で行うとともに，より複雑かつ多様な図柄を表示することができることから，より高い生産性を実現するものである。
【図面の簡単な説明】
【００１２】
【図１】本考案の一実施形態によるジョイントマットにおける本体マットの平面図。
【図２】本考案の一実施形態によるジョイントマットを連結した状態を示す平面図。
【考案を実施するための形態】
以下，本考案の実施の形態を図に基づいて説明する。
【実施例１】
【００１３】  本考案は，少なくとも一辺に他のマットと連結するためのジョイント部を有する合成樹脂発泡体からなるマットであって，マット本体の表面にレーザーマーキングにより様々なデザインの図柄を表示することができる（図１参照）。
【実施例２】
【００１４】  また，多数のジョイントマットを係合することにより，大きな面積のマット（図２参照）を形成することで，床等の使用場所の大きさに合わせてジョイントマットを使用することができる。
【実施例３】
【００１５】  加えて，複数のジョイントマットを係合することにより，係合された複数のジョイントマット上に一体の図柄を表示することで，一つのジョイントマットの大きさを超える様々な図柄を複数のジョイントマット上に表示することができる。
【符号の説明】
【００１６】  １  ジョイントマット
２  マット本体
３  ジョイント部
４  図柄
５  係合されたジョイントマット
【図１】
0003209420.tif 000003
【図２】
0003209420.tif 000004